(57)【要約】【課題】ステータコイルの端末部への結線部の接続の自動化を容易に達成できるモータ用ステータ枠を提供する。【解決手段】モータ用ステータ枠３０は、モータ１のステータ３又は筐体２に取り付けられる。モータ用ステータ枠３０は、円周に沿ってステータコイルＷｕ，Ｗｖ，Ｗｗの端末部に接続される結線部３１ｕａ，３１ｖａ，３１ｗａ，３１ｎａ，３１ｎｂ，３１ｎｃを有すると共に外周側でコネクタ部１０に連通する略円環状の導体板部３１と、結線部３１ｕａ，３１ｖａ，３１ｗａ，３１ｎａ，３１ｎｂ，３１ｎｃを除く導体板部３１を覆う絶縁性のハウジング３２とを備える。複数の結線部３１ｕａ，３１ｖａ，３１ｗａ，３１ｎａ，３１ｎｂ，３１ｎｃの各々は、圧着端子で構成されると共に、複数の結線部３１ｕａ，３１ｖａ，３１ｗａ，３１ｎａ，３１ｎｂ，３１ｎｃは導体板部３１の円周の１８０°の範囲内に配置される。【選択図】図１５
2015104284.tif 000002
【特許請求の範囲】
【請求項１】
モータのステータ又は筐体に取り付けられると共に、外周部にコネクタ部を有する略円環状のモータ用ステータ枠であって、
円周に沿ってステータコイルの端末部に接続される複数の結線部を有すると共に外周側で前記コネクタ部に連通する略円環状の導体板部と、前記結線部を除く前記導体板部を覆うと共に前記ステータに取り付けられる絶縁性のハウジングとを備え、
前記複数の結線部の各々が圧着端子で構成されると共に、前記複数の結線部は前記導体板部の円周の１８０°の範囲内に配置されていることを特徴とするモータ用ステータ枠。
【請求項２】
前記圧着端子は、前記ステータコイルの端末部の被覆を貫通する被覆貫通部を有することを特徴とする請求項１記載のモータ用ステータ枠。
【請求項３】
前記圧着端子は、前記導体板部の中心に向かって開口していることを特徴とする請求項１又は２記載のモータ用ステータ枠。
【請求項４】
前記圧着端子が前記導体板部の一面から突出するとともに、前記コネクタ部の面は、前記圧着端子が突出する側の前記ハウジングの面より突出していないことを特徴とする請求項１乃至３のうちいずれか一項に記載のモータ用ステータ枠。
【発明の詳細な説明】
【技術分野】
【０００１】
本発明は、例えば、三相モータ等のモータに用いられるモータ用ステータ枠に関する。
【背景技術】
【０００２】
従来の、モータのステータ枠に設けられたモータ用多極型コネクタとして、例えば、特許文献１に示すものが知られている。
特許文献１に示すモータ用多極型コネクタは、モータに形成された円環状のステータ枠に設けられており、外部接続用コネクタと嵌合するようになっている。そして、モータ用多極コネクタは、モータ内部の各励磁巻線の端末部を直接接続する巻線保持部を有する導体部と、外部接続用コネクタとの嵌合時に電気的接続を行う接続部とを一体のコンタクトとして有する。このモータ用多極型コネクタによれば、複数個の励磁巻線の各端末部と外部電力供給装置からのケーブルとの接続を他の中継部品を用いることなく簡略に行なうことができる。
【先行技術文献】
【特許文献】
【０００３】
【特許文献１】特開２００１−１４５３２５号公報
【発明の概要】
【発明が解決しようとする課題】
【０００４】
しかしながら、この従来の特許文献１に示したモータ用多極型コネクタにあっては、以下の問題点があった。
即ち、特許文献１に示したモータ用多極型コネクタの場合には、当該コネクタの導体部に接続される各励磁巻線がマグネットワイヤで構成されており、前記導体部への接続時にマグネットワイヤの被覆を剥がす必要がある。このため、各励磁巻線の導体部への接続の自動化が容易ではない。
従って、本発明はこれら従来の問題点を解決するためになされたものであり、その目的は、ステータコイルの端末部への結線部の接続の自動化を容易に達成できるモータ用ステータ枠を提供することにある。
【課題を解決するための手段】
【０００５】
上記目的を達成するために、本発明のある態様に係るモータ用ステータ枠は、モータのステータ又は筐体に取り付けられると共に、外周部にコネクタ部を有する略円環状のモータ用ステータ枠であって、円周に沿ってステータコイルの端末部に接続される複数の結線部を有すると共に外周側で前記コネクタ部に連通する略円環状の導体板部と、前記結線部を除く前記導体板部を覆うと共に前記ステータに取り付けられる絶縁性のハウジングとを備え、前記複数の結線部の各々が圧着端子で構成されると共に、前記複数の結線部は前記導体板部の円周の１８０°の範囲内に配置されていることを特徴としている。
【０００６】
また、このモータ用ステータ枠において、前記圧着端子は、前記ステータコイルの端末部の被覆を貫通する被覆貫通部を有することが好ましい。
更に、このモータ用ステータ枠において、前記圧着端子は、前記導体板部の中心に向かって開口していることが好ましい。
また、このモータ用ステータ枠において、前記圧着端子が前記導体板部の一面から突出するとともに、前記コネクタ部の面は、前記圧着端子が突出する側の前記ハウジングの面より突出していないことが好ましい。
【発明の効果】
【０００７】
本発明に係るモータ用ステータ枠によれば、複数の結線部の各々が圧着端子で構成されるので、ステータコイルの端末部への結線部の接続を圧着作業によってできる。このため、ステータコイルへの結線部の接続の自動化を容易に達成できる。
また、複数の結線部が導体板部の円周の１８０°の範囲内に配置されているので、ステータコイルの端末部に結線部を圧着する際に、圧着設備のクリンパが目的の結線部以外の結線部に衝突することを回避でき、圧着作業の自動化を容易に実現できる。
【図面の簡単な説明】
【０００８】
【図１】本発明に係るモータ用ステータ枠を備えたモータの斜視図である。
【図２】本発明に係るモータ用ステータ枠のコネクタ部にモータ側コネクタを嵌合した状態の斜視図である。
【図３】図２に示すモータ用ステータ枠のコネクタ部とモータ側コネクタとを分離した状態の斜視図である。
【図４】図２に示すモータ用ステータ枠のコネクタ部にモータ側コネクタを嵌合した状態であって、ロック機構の部分を示す図である。
【図５】図４に示すロック機構の部分の拡大図である。
【図６】モータ用ステータ枠のコネクタ部にモータ側コネクタを嵌合した状態の部分断面図である。
【図７】モータ用ステータ枠の平面図である。
【図８】モータ用ステータ枠の右側面図である。
【図９】図８における９−９線に沿う断面図である。
【図１０】ステータにモータ用ステータ枠を取り付け、結線部をステータコイルの端末部に圧着する様子を示し、クリンパが動作する初期の状態を示す斜視図である。
【図１１】ステータにモータ用ステータ枠を取り付け、結線部をステータコイルの端末部に圧着する様子を示し、クリンパが動作する途中の状態を示す斜視図である。
【図１２】結線部近傍の拡大図である。
【図１３】結線部をステータコイルの端末部に圧着した後の斜視図である。但し、図１３においては、モータの筐体は図示していない。
【図１４】モータ用ステータ枠のコネクタ部にモータ側コネクタを嵌合する前の状態の斜視図である。但し、図１４においては、モータの筐体及びステータコイルは図示していない。
【図１５】モータ用ステータ枠のコネクタ部にモータ側コネクタを嵌合した後、モータ側コネクタに外部接続用コネクタを嵌合する様子を示す斜視図である。
【発明を実施するための形態】
【０００９】
以下、本発明の実施の形態を図面を参照して説明する。
図１には、モータ用コネクタ４を備えたモータ１が示されている。モータ１は、３相モータであり、ステータ３と、図示しないロータと、Ｕ相コイルＷｕ、Ｖ相コイルＷｖ、及びＷ相コイルＷｗからなるステータコイル（図示せず）とを備えている。ステータ３、ロータ、及びステータコイルは、筐体２内に収容されている。そして、ステータ３の端面には略円環状のモータ用ステータ枠（以下、単にステータ枠という）３０が取り付けられている。このステータ枠３０は、外周部の一部にコネクタ部１０を備えている（図３及び図７参照）。
【００１０】
コネクタ部１０は、図６に示すように、筐体２内に位置している。そして、図１乃至図６に示すように、コネクタ部１０には、モータ側コネクタ２０が嵌合されるようになっており、コネクタ部１０と、モータ側コネクタ２０とでモータ用コネクタ４を構成している。
ここで、ステータ枠３０は、図１及び図７乃至図９に示すように、略円環状に形成され、略円環状の導体板部３１と、絶縁性のハウジング３２とを備えている。ここで、「略円環状」とは、図７及び図９に示すように、ステータ枠３０及び導体板部３１の内周が中心をＯとした円形に形成され、ステータ枠３０及び導体板部３１の外周が略円形に形成された環状を意味する。
【００１１】
導体板部３１は、図９に示すように、接地板部３１ｇ、Ｕ相接続板部３１ｕ、Ｖ相接続板部３１ｖ、Ｗ相接続板部３１ｗ、及び中性点接地板部３１ｎを備え、略円環状に形成されている。接地板部３１ｇ、Ｕ相接続板部３１ｕ、Ｖ相接続板部３１ｖ、Ｗ相接続板部３１ｗ、及び中性点接地板部３１ｎは、これらの順に配置されている。接地板部３１ｇ、Ｕ相接続板部３１ｕ、Ｖ相接続板部３１ｖ、Ｗ相接続板部３１ｗ、及び中性点接地板部３１ｎは、それぞれ互いに絶縁されている。導体板部３１は、導電性金属板を打ち抜くことによって形成される。
【００１２】
そして、Ｕ相接続板部３１ｕの内周部には、ステータコイルのうちのＵ相コイルＷｕの一端末部に接続される結線部３１ｕａが設けられている。また、Ｖ相接続板部３１ｖの内周部には、Ｖ相コイルＷｖの一端末部に接続される結線部３１ｖａが設けられている。更に、Ｗ相接続板部３１ｗの内周部には、Ｗ相コイルＷｗの一端末部に接続される結線部３１ｗａが設けられている。また、中性点接地板部３１ｎの内周部には、Ｕ相コイルＷｕの他端末部に接続される結線部３１ｎａが設けられている。また、中性点接地板部３１ｎの内周部には、Ｖ相コイルＷｖの他端末部に接続される結線部３１ｎｂが設けられている。更に、中性点接地板部３１ｎの内周部には、Ｗ相コイルＷｗの他端末部に接続される結線部３１ｎｃが設けられている。これら結線部３１ｕａ，３１ｖａ，３１ｗａ，３１ｎａ，３１ｎｂ，３１ｎｃは、図４に示すように、導体板部３１の一面から突出する圧着端子で構成されている。
【００１３】
そして、複数の結線部３１ｕａ，３１ｖａ，３１ｗａ，３１ｎａ，３１ｎｂ，３１ｎｃは、導体板部３１の内周の１８０°の範囲内に配置されている。つまり、図７に示すように、導体板部３１の平面から見て最も離れている、結線部３１ｕａの外端と導体板部３１の中心Ｏとを結ぶ線Ｌ１と、結線部３１ｎｃの外端と導体板部３１の中心Ｏとを結ぶ線Ｌ２とのなす角度θを考える。この角度θが１８０°未満となるように、複数の結線部３１ｕａ，３１ｖａ，３１ｗａ，３１ｎａ，３１ｎｂ，３１ｎｃは配置される。本実施形態にあっては、前記角度θが約１６５°となるように、複数の結線部３１ｕａ，３１ｖａ，３１ｗａ，３１ｎａ，３１ｎｂ，３１ｎｃは配置されている。
更に、複数の結線部３１ｕａ，３１ｖａ，３１ｗａ，３１ｎａ，３１ｎｂ，３１ｎｃを構成する圧着端子は、図７に示すように、導体板部３１の中心Ｏに向かって開口している。
【００１４】
また、ハウジング３２は、図１乃至４及び図７乃至図９に示すように、結線部３１ｕａ，３１ｖａ，３１ｗａ，３１ｎａ，３１ｎｂ，３１ｎｃを除く導体板部３１を覆うように略円環状に形成されている。導体板部３１は、インサート成形されてハウジング３２に覆われる。ハウジング３２の外周における対向部には、ハウジング３２をステータ３の端面に取り付けるための一対の取付部３３が設けられている。各取付部３３には、取付用ねじ（図示せず）が貫通する貫通孔３４が形成されている。
【００１５】
また、コネクタ部１０は、図７及び図９に示すように、ステータ枠３０の外周部の一部に設けられ、図３乃至図６に示すように、コネクタ部１０の外側からモータ側コネクタ２０が嵌合するようになっている。コネクタ部１０は、絶縁性のハウジング１１と、ハウジング１１の幅方向に沿って所定ピッチで取り付けられた接地用コンタクト１２ｇ、Ｕ相用コンタクト１２ｕ、Ｖ相用コンタクト１２ｖ、及びＷ相用コンタクト１２ｗとを備えている。接地用コンタクト１２ｇは、図９に示すように、導体板部３１の外周側で導体板部３１に連通するように、導体板部３１の接地板部３１ｇから延びている。また、Ｕ相用コンタクト１２ｕは、導体板部３１の外周側で導体板部３１に連通するように、導体板部３１のＵ相接続板部３１ｕから延びている。更に、Ｖ相用コンタクト１２ｖは、導体板部３１の外周側で導体板部３１に連通するように、導体板部３１のＶ相接続板部３１ｖから延びている。また、Ｗ相用コンタクト１２ｗは、導体板部３１の外周側で導体板部３１に連通するように、導体板部のＷ相接続板部３１ｗから延びている。
【００１６】
そして、図７及び図８に示すように、結線部３１ｕａ，３１ｖａ，３１ｗａ，３１ｎａ，３１ｎｂ，３１ｎｃを構成する圧着端子が突出する側のステータ枠３０のハウジング３２の面及びコネクタ部１０の面は、同一平坦面に形成されている。
一方、コネクタ部１０に嵌合するモータ側コネクタ２０は、図１乃至図６に示すように、絶縁性のハウジング２１と、ハウジング２１に取付けられた複数のコンタクト２２とを備えている。ハウジング２１は、コネクタ部１０に嵌合する略円筒形の第１嵌合部２１ａと、後述する外部接続用コネクタ７（図１５参照）が嵌合する略円筒型の第２嵌合部２１ｂとを備えている。また、第１嵌合部２１ａと第２嵌合部２１ｂとの間には、フランジ部２１ｃが設けられている。そして、各コンタクト２２は、図６及び図７に示すように、コネクタ部１０の接地用コンタクト１２ｇ、Ｕ相用コンタクト１２ｕ、Ｖ相用コンタクト１２ｖ、及びＷ相用コンタクト１２ｗのそれぞれに接触する第１接触部２２ａを有する。第１接触部２２ａは、第１嵌合部２１ａ内に突出している。また、各コンタクト２２は、外部接続用コネクタ７の各コンタクト（図示せず）に接触する第２接触部２２ｂを有する。第２接触部２２ｂは、第２嵌合部２１ｂ内に突出している。
【００１７】
そして、図１及び図６に示すように、モータ１の筐体２には、モータ側コネクタ２０をコネクタ部１０に嵌合する際に、モータ側コネクタ２０の第１嵌合部２１ａの通過を許容する開口２ａが形成されている。
ここで、モータ１の筐体２と、コネクタ部１０に嵌合されたモータ側コネクタ２０の第１嵌合部２１ａとの間には、図１及び図６に示すように、防水機能部５が設けられる。この防水機能部５は、モータ１の筐体２の開口２ａに形成される防水面２ｂと、モータ側コネクタ２０の第１嵌合部２１ａの外周に設置されたＯリング２４とを備えている。Ｏリング２４は、当該防水面２ｂに接触して筐体２とモータ側コネクタ２０の第１嵌合部２１ａとの間を封止する。また、防水機能部５は、筐体２の上面に形成される防水面２ｃと、モータ側コネクタ２０のフランジ部２１ｃの下面に設けられた円環状のシール部材２５とを備えている。シール部材２５は、図６に示すように、モータ側コネクタ２０がコネクタ部１０に嵌合した際に、筐体２の上面に形成された防水面２ｃに当接する。これにより、モータ側コネクタ２０のフランジ部２１ｃの下面と筐体２の防水面２ｃとの間を封止する。
【００１８】
更に、図４及び図５に示すように、コネクタ部１０及びモータ側コネクタ２０には、モータ側コネクタ２０をコネクタ部１０に嵌合する際のロック機構６が設けられている。
このロック機構６は、コネクタ部１０に設けられた突起１３ａと、モータ側コネクタ２０に設けられ、突起１３ａをロックする弾性ロック片２３ｄを有するロック部材２３とからなっている。突起１３ａは、図９に示すように、コネクタ部１０のハウジング１１に固定された金属片１３に形成されている。金属片１３は、インサート成形されてハウジング１１に固定される。突起１３ａを有する金属片１３は、ハウジング１１の左右方向両側に一対設けられている。
【００１９】
また、ロック部材２３は、図４に示すように、ロック側コネクタ２０の第１嵌合部２１ａの左右方向に第１嵌合部２１ａの表面に沿って延在する基板部２３ａを備えている。基板部２３ａの左右方向両端には、図５に示すように（図５には基板部２３ａの左右方向片端のみを図示）、基部２３ａに対して略垂直に折り曲げられるとともに上方に延びる連結板部２３ｂが設けられている。そして、連結板部２３ｂの上端から圧入固定部２３ｃが延び、圧入固定部２３ｃの略中央部の下縁から下方に弾性ロック片２３ｄが延びている。弾性ロック片２３ｄには、突起１３ａが入り込むロック用開口２３ｅが形成されている。ロック部材２３は、金属板を打抜き及び曲げ加工することによって形成される。また、ロック部材２３は、図５に示すように、圧入固定部２３ｃを第１嵌合部２１ａに形成された圧入用孔２１ｅに圧入することにより、第１嵌合部２１ａに固定される。
【００２０】
次に、図１及び図１０乃至図１４を参照して、ステータへのステータ枠の取付け、ステータコイルの端末部への結線部の接続、及びコネクタ部へのモータ側コネクタの嵌合について説明する。
先ず、図１０に示すように、ステータ枠３０をステータ３の端面に取り付ける。このステータ枠３０のステータ３への取付けに際しては、図示しない取付用ねじを用いてステータ枠３０の各取付部３３の貫通孔３４を介して行なう。
【００２１】
次いで、図１０及び図１１に示すように、アンビル４１及びクリンパ４２を用いて、先ず、Ｕ相コイルＷｕの一端末部に結線部３１ｕａを圧着する。次いで、ステータ枠３０を取り付けたステータ３を、図１０に示す矢印Ｘ方向に回転し、Ｖ相コイルＷｖの一端末部に結線部３１ｕａの隣りの結線部３１ｖａを圧着する。更に、前記ステータ３を、さらに矢印Ｘ方向に回転し、Ｗ相コイルＷｗの一端末部に結線部３１ｖａの隣りの結線部３１ｗａを圧着する。その後、前記ステータ３を、さらに矢印Ｘ方向に回転し、Ｕ相コイルＷｕの他端末部に結線部３１ｗａの隣りの結線部３１ｎａを圧着する。同様に、前記ステータ３を、さらに矢印Ｘ方向に回転し、Ｖ相コイルＷｖの他端末部に結線部３１ｎａの隣りの結線部３１ｎｂを圧着する。更に同様に、前記ステータ３を、さらに矢印Ｘ方向に回転し、Ｗ相コイルＷｗの他端末部に結線部３１ｎｂの隣りの結線部３１ｎｃを圧着する。次に、モータ１の筐体２内にステータ３を収容する。
【００２２】
このように、複数の結線部３１ｕａ，３１ｖａ，３１ｗａ，３１ｎａ，３１ｎｂ，３１ｎｃの各々が圧着端子で構成され、Ｕ相コイルＷｕ、Ｖ相コイルＷｖ、及びＶ相コイルＷｖの各端末部への結線部の接続を圧着作業によってできる。このため、Ｕ相コイルＷｕ、Ｖ相コイルＷｖ、及びＶ相コイルＷｖの各端末部への結線部３１ｕａ，３１ｖａ，３１ｗａ，３１ｎａ，３１ｎｂ，３１ｎｃの接続の自動化を容易に達成できる。
【００２３】
そして、複数の結線部３１ｕａ，３１ｖａ，３１ｗａ，３１ｎａ，３１ｎｂ，３１ｎｃは導体板部３１の内周に配置されている。このため、Ｕ相コイルＷｕ、Ｖ相コイルＷｖ、及びＶ相コイルＷｖの各端末部への結線部の接続に際し、Ｕ相コイルＷｕ、Ｖ相コイルＷｖ、及びＶ相コイルＷｖの引き回し量を極力少なくすることができる。Ｕ相コイルＷｕ、Ｖ相コイルＷｖ、及びＶ相コイルＷｖは、ステータ枠３０を構成する導体板部３１の内周側から結線部へ導かれるからである。このため、ステータコイルの巻線の引き回しに起因するモータの出力ロスを極めて小さくすることができる。
【００２４】
更に、複数の結線部３１ｕａ，３１ｖａ，３１ｗａ，３１ｎａ，３１ｎｂ，３１ｎｃが導体板部３１の内周の１８０°の範囲内に配置されている。このため、圧着作業の際に、圧着設備のクリンパ４２が目的の結線部以外の結線部に衝突することを回避でき、圧着作業の自動化を容易に実現できる。複数の結線部３１ｕａ，３１ｖａ，３１ｗａ，３１ｎａ，３１ｎｂ，３１ｎｃが導体板部３１の内周の１８０°の範囲を外れたところに配置されていると、圧着作業の際に、クリンパが目的の結線部以外の結線部に衝突するおそれがある。
【００２５】
そして、複数の結線部３１ｕａ，３１ｖａ，３１ｗａ，３１ｎａ，３１ｎｂ，３１ｎｃを構成する圧着端子は、図７に示すように、導体板部３１の中心Ｏに向かって開口している。このため、アンビル４１及びクリンパ４２による圧着作業の際に、ステータ枠３０を取り付けたステータ３を矢印Ｘ方向に回転させつつ、順次、各結線部３１ｕａ，３１ｖａ，３１ｗａ，３１ｎａ，３１ｎｂ，３１ｎｃをステータコイルに圧着できる。圧着端子の開口が向いている向きが圧着端子間で異なると、アンビル４１及びクリンパ４２の位置をその都度変える必要があるので、圧着の自動化には不向きとなる。
【００２６】
また、モータ側コネクタ２０がコネクタ部１０と分離しており、かつ、結線部３１ｕａ，３１ｖａ，３１ｗａ，３１ｎａ，３１ｎｂ，３１ｎｃを構成する圧着端子が突出する側のステータ枠３０のハウジング３２の面及びコネクタ部１０の面は、同一平坦面に形成されている。このため、図１０及び図１１に示すアンビル４１及びクリンパ４２による圧着に際し、ステータ枠３０及びコネクタ部１０が邪魔になることはない。換言すると、モータ側コネクタ２０がコネクタ部１０と当初から一体となっていると、モータ側コネクタ２０が邪魔になり、圧着端子をアンビル４１の近傍に位置させることができない。また、圧着端子が突出する側のステータ枠３０のハウジング３２の面及びコネクタ部１０の面が同一平坦面に形成されていないと、コネクタ部１０が邪魔となって圧着端子をアンビル４１の近傍に位置させることができなかったり、あるいはハウジング３２が邪魔となってクリンパ４２の動作の障害になることがある。
【００２７】
なお、圧着端子を構成する各結線部３１ｕａ，３１ｖａ，３１ｗａ，３１ｎａ，３１ｎｂ，３１ｎｃは、図１２に示すように（図１２には、結線部３１ｕａのみ図示）、Ｕ相コイルＷｕ、Ｖ相コイルＷｖ及びＷ相コイルＷｗに対して交差する方向に交互に延びる複数の溝３５ａ及び突状の被覆貫通部３５ｂを備えている。Ｕ相コイルＷｕ、Ｖ相コイルＷｖ及びＷ相コイルＷｗは、マグネットワイヤで形成されている。各Ｕ相コイルＷｕ、Ｖ相コイルＷｖ及びＷ相コイルＷｗの端末部に各結線部３１ｕａ，３１ｖａ，３１ｗａ，３１ｎａ，３１ｎｂ，３１ｎｃを圧着すると、被覆貫通部３５ｂがマグネットワイヤのエナメル被覆を突き破って芯線に接続される。従って、マグネットワイヤの被覆除去作業や半田接続作業が不要となり、結線作業の自動化を行うのに好適なものとすることができる。
【００２８】
そして、各Ｕ相コイルＷｕ、Ｖ相コイルＷｖ及びＷ相コイルＷｗへの各結線部の接続作業が完了した後、図１３に示すように、各結線部３１ｕａ，３１ｖａ，３１ｗａ，３１ｎａ，３１ｎｂ，３１ｎｃを導体板部３１上に重なるように折り返す。
次いで、図示はしないが、モータ１の筐体２とコネクタ部１０との間に樹脂を充填し、接地用コンタクト１２ｇ、Ｕ相用コンタクト１２ｕ、Ｖ相用コンタクト１２ｖ、及びＷ相用コンタクト１２ｗ間の絶縁を確実にする。
その後、図１４に示すように、モータ側コネクタ２０の第１嵌合部２１ａをコネクタ部１０に嵌合する。これにより、図１に示すように、モータ１にモータ用コネクタ４が取り付けられることになる。
【００２９】
ここで、モータ側コネクタ２０の第１嵌合部２１ａをコネクタ部１０に嵌合すると、モータ側コネクタ２０の各コンタクト２２がコネクタ部１０の接地用コンタクト１２ｇ、Ｕ相用コンタクト１２ｕ、Ｖ相用コンタクト１２ｖ、及びＷ相用コンタクト１２ｗのそれぞれに接触する。これにより、モータ側コネクタ２０とコネクタ部１０とが電気的に接続される。
【００３０】
そして、モータ側コネクタ２０の第１嵌合部２１ａがコネクタ部１０に嵌合するときには、図４及び図５に示すように、モータ側コネクタ２０に設けられた弾性ロック片２３ｄが突起１３ａによって一旦外側に変位する。そして、嵌合完了時には突起１３ａがロック用開口２３ｅに入り込み、弾性ロック片２３ｄが元の状態に復元する。これにより、モータ側コネクタ２０がコネクタ部１０に対してロックされる。このため、ねじ止め等を行うことなく、モータ側コネクタ２０のコネクタ部１０に対する嵌合解除を阻止することができる。なお、弾性ロック片２３ｄが突起１３ａをロックするようにしているため、モータ側コネクタ２０をコネクタ部１０に対して容易にロックすることができる。
【００３１】
そして、モータ側コネクタ２０の第１嵌合部２１ａがコネクタ部１０に嵌合するときには、モータ側コネクタ２０の第１嵌合部２１ａが筐体２に形成された開口２ａを通過してコネクタ部１０に嵌合する。このとき、防水機能部５を構成するモータ側コネクタ２０側のＯリング２４が、筐体２の防水面２ｂに接触して筐体２とモータ側コネクタ２０の第１嵌合部２１ａとの間を封止する。これにより、モータ１の筐体２とモータ側コネクタ２０の第１嵌合部２１ａとの間を確実に防水することができる。
【００３２】
また、モータ側コネクタ２０の第１嵌合部２１ａがコネクタ部１０に嵌合したときには、図６に示すように、モータ側コネクタ２０のフランジ部２１ｃの下面にあるシール部材２５が、筐体２の上面に形成された防水面２ｃに当接する。これにより、モータ側コネクタ２０のフランジ部２１ｃの下面と筐体２の防水面２ｃとの間を封止する。このため、モータ１の筐体２とモータ側コネクタ２０のフランジ部２１ｃとの間を確実に防水することができる。
【００３３】
そして、モータ側コネクタ２０には、図１５に示すように、外部接続用コネクタ７が嵌合される。外部接続用コネクタ７は、モータ側コネクタ２０の第２嵌合部２１ｂと嵌合するコネクタ嵌合部７ａと、図示しない電力供給装置に接続されたケーブル（図示せず）が接続されるケーブル接続部７ｂとを備えている。
このように、ケーブルを介して電力供給装置に接続された外部接続用コネクタ７をモータ側コネクタ２０に嵌合することにより、モータ１側に電力を供給することができる。
【００３４】
そして、モータ用コネクタ４と、モータ用コネクタ４のモータ側コネクタ２０と嵌合する外部接続用コネクタ７とからモータ用コネクタ組立体８を構成している。
以上、本発明の実施形態について説明してきたが、本発明はこれに限定されずに種々の変更、改良を行うことができる。
例えば、各結線部３１ｕａ，３１ｖａ，３１ｗａ，３１ｎａ，３１ｎｂ，３１ｎｃを構成する圧着端子が突出する側のハウジング３２の面及びコネクタ部１０の面が同一平坦面に形成されている必要は必ずしもない。例えば、コネクタ部１０の面は、ハウジング３２の面より突出せず、凹んでいてもよい。
また、ステータ枠３０は、ステータ３ではなく、筐体２に取り付けられてもよい。
更に、複数の結線部は、ステータ枠３０の内周部の代わりに外周部に設けられていてもよい。つまり、複数の結線部は、導体板部３１の円周に沿って配置されていればよい。
【符号の説明】
【００３５】
１  モータ
３  ステータ
１０  コネクタ部
３０  モータ用ステータ枠
３１  導体板部
３１ｕａ，３１ｖａ，３１ｗａ，３１ｎａ，３１ｎｂ，３１ｎｃ  結線部
３２  ハウジング
３５ｂ  被覆貫通部
Ｏ  導体板部の中心
Ｗｕ  Ｕ相コイル（ステータコイル）
Ｗｖ  Ｖ相コイル（ステータコイル）
Ｗｗ  Ｗ相コイル（ステータコイル）
【図１】
2015104284.tif 000003
【図２】
2015104284.tif 000004
【図３】
2015104284.tif 000005
【図４】
2015104284.tif 000006
【図５】
2015104284.tif 000007
【図６】
2015104284.tif 000008
【図７】
2015104284.tif 000009
【図８】
2015104284.tif 000010
【図９】
2015104284.tif 000011
【図１０】
2015104284.tif 000012
【図１１】
2015104284.tif 000013
【図１２】
2015104284.tif 000014
【図１３】
2015104284.tif 000015
【図１４】
2015104284.tif 000016
【図１５】
2015104284.tif 000017